(57)【要約】【課題】設置スペースの制約が少なく、ボンネットの開閉作業を容易に行うことができる作業車両を提供する。【解決手段】旋回作業車１は、ボンネット３８と、ロック解除ハンドル７１と、ベルト７２と、を備える。ボンネット３８は、エンジン３３の後方に位置する回転軸４５ｃを中心として回転可能に支持され、エンジン３３を覆い、開閉可能である。ロック解除ハンドル７１は、ボンネット３８の前面に配置される。ベルト７２は、ロック解除ハンドル７１よりも高い位置でボンネット３８に配置される。【選択図】図２
2019056219.tif 000002
【特許請求の範囲】
【請求項１】
エンジンの後方に位置する回転軸を中心として回転可能に支持され、前記エンジンを覆う開閉可能なボンネットと、
前記ボンネットの前面に配置される第１取っ手と、
前記第１取っ手よりも高い位置で前記ボンネットに配置される第２取っ手と、
を備えることを特徴とする作業車両。
【請求項２】
請求項１に記載の作業車両であって、
前記ボンネットの上面に取り付けられる運転座席を備え、
前記第２取っ手の少なくとも一部が、前記ボンネットと前記運転座席との間に形成された空間に収納可能であることを特徴とする作業車両。
【請求項３】
請求項２に記載の作業車両であって、
前記第２取っ手は、可撓性を有する細長い帯状体であり、
前記第２取っ手の長手方向両端部が前記ボンネットに取り付けられており、中間部が前記空間に収納可能であることを特徴とする作業車両。
【請求項４】
請求項２に記載の作業車両であって、
前記第２取っ手は、スライド移動可能とされており、一側に移動することで前記空間に収納可能であることを特徴とする作業車両。
【請求項５】
請求項１から４までの何れか一項に記載の作業車両であって、
前記ボンネットを閉じた状態でロック可能であり、前記第１取っ手を操作することでロックを解除可能なロック機構を備え、
前記ロック機構は、前記ボンネットを開放する方向へ前記第１取っ手を操作する操作力によってロックが解除されることを特徴とする作業車両。
【発明の詳細な説明】
【技術分野】
【０００１】
本発明は、エンジンを覆うボンネットを備える作業車両に関する。
【背景技術】
【０００２】
従来から、エンジン等のメンテナンス性を高めるために、エンジンを覆うボンネット等を開閉可能に構成した作業車両が知られている。特許文献１及び２は、この種の作業車両を開示する。
【０００３】
特許文献１が開示する建設機械においては、上面及び後面が開口するエンジンルームが設けられている。エンジンルームの上面開口部と後面開口部を覆うボンネットが、当該ボンネットの前端部に配置されたボンネット軸を中心に回動して開口部を開閉する状態で設けられる。特許文献１の図面によると、ボンネットの背面の下部に、手を掛けるための凹部が形成されている。
【０００４】
特許文献２が開示する作業車両は、チルトフロアの前端部に、当該チルトフロアを車体前方に回動可能とするヒンジ機構を備える。更に、この作業車両は、当該チルトフロアを回動させるトーションバー、及び、当該回動を補助するためのスプリングシリンダを備える。
【先行技術文献】
【特許文献】
【０００５】
【特許文献１】特開２０１０−２６５５８２号公報
【特許文献２】特開２００５−００１６４５号公報
【発明の概要】
【発明が解決しようとする課題】
【０００６】
特許文献１は、ボンネットの開閉をどのようにして行うかについて特に述べていないが、ボンネットの背面の凹部に片手を掛けて力を加えることでボンネットを回動させる構成になっていると考えられる。ボンネットは相当の重量を有しているため、片手で力を加えるだけでは、ボンネットの開閉作業をスムーズに行うことができない場合がある。
【０００７】
一方で、特許文献２が開示するようなトーションバー等は、小型のミニショベル等の作業車両について適用しようとすると、設置するためのスペースを確保することが困難である。
【０００８】
本発明は以上の事情に鑑みてされたものであり、その目的は、設置スペースの制約が少なく、ボンネットの開閉作業を容易に行うことができる作業車両を提供することにある。
【課題を解決するための手段及び効果】
【０００９】
本発明の解決しようとする課題は以上の如くであり、次にこの課題を解決するための手段とその効果を説明する。
【００１０】
本発明の観点によれば、以下の構成の作業車両が提供される。即ち、この作業車両は、ボンネットと、第１取っ手と、第２取っ手と、を備える。前記ボンネットは、エンジンの後方に位置する回転軸を中心として回転可能に支持され、前記エンジンを覆い、開閉可能である。前記第１取っ手は、前記ボンネットの前面に配置される。前記第２取っ手は、前記第１把持部よりも高い位置で前記ボンネットに配置される。
【００１１】
これにより、２つの取っ手を片手ずつで掴んで、両手を用いてボンネットを開閉することができる。そのため、ボンネットの開閉作業を容易かつ円滑に行うことができる。従って、ボンネットを開き方向に付勢する補助装置を設置することが難しい場合等でも、エンジン等のメンテナンス性を良好とすることができる。
【００１２】
前記の作業車両においては、以下の構成とすることが好ましい。即ち、この作業車両は、前記ボンネットの上面に取り付けられる運転座席を備える。前記第２取っ手の少なくとも一部が、前記ボンネットと前記運転座席との間に形成された空間に収納可能である。
【００１３】
これにより、第２取っ手に手を掛ける必要がないときに、邪魔にならない場所に収納しておくことができる。
【００１４】
前記の作業車両においては、以下の構成とすることができる。即ち、前記第２取っ手は、可撓性を有する細長い帯状体である。前記第２取っ手の長手方向両端部が前記ボンネットに取り付けられており、中間部が前記空間に収納可能である。
【００１５】
これにより、第２取っ手を収納可能な簡素かつ安価な構成を実現できる。
【００１６】
前記の作業車両においては、前記第２取っ手は、スライド移動可能とされており、一側に移動することで前記空間に収納可能であるように構成することもできる。
【００１７】
これにより、第２取っ手をスライド移動させる簡単な操作で、必要に応じて収納することができる。
【００１８】
前記の作業車両においては、以下の構成とすることが好ましい。即ち、この作業車両は、前記ボンネットを閉じた状態でロック可能であり、前記第１取っ手を操作することでロックを解除可能なロック機構を備える。前記ロック機構は、前記ボンネットを開放する方向へ前記第１取っ手を操作する操作力によってロックが解除される。
【００１９】
これにより、ボンネットを開放する方向の操作力でロックを解除することができるので、ロックの解除に手間を掛けずにボンネットを開放することができる。
【図面の簡単な説明】
【００２０】
【図１】本発明の一実施形態に係る作業車両の全体的な構成を示す側面図。
【図２】作業車両を斜め上側から見た斜視図。
【図３】第１実施形態のロック解除ハンドル及びベルトを前方側から見た斜視図。
【図４】ボンネットステーの機能を説明する側面模式図。
【図５】第２実施形態の格納式ハンドルを示す斜視図。
【発明を実施するための形態】
【００２１】
次に、図面を参照して本発明の実施の形態を説明する。図１は、本発明の一実施形態に係る旋回作業車１の全体的な構成を示す側面図である。図２は、旋回作業車１を上側から見た斜視図である。
【００２２】
図１及び図２に示す本実施形態の旋回作業車（作業車両）１は、下部走行体１１と、上部旋回体１２と、を備える。
【００２３】
下部走行体１１は、左右１対で配置されたクローラ走行装置２１と、このクローラ走行装置２１を駆動する図示しない油圧モータと、を備える。下部走行体１１は、左右のクローラ走行装置２１を個別に様々な向き及び速度で駆動して、前方又は後方への直進、ステアリング等の各種の走行を行うことができる。
【００２４】
上部旋回体１２は、旋回フレーム３１と、エンジン３３と、油圧ポンプユニット３４と、ボンネット３８と、操縦部３５と、作業装置１３と、を備える。
【００２５】
旋回フレーム３１は、下部走行体１１の上方に配置され、垂直な軸を中心として回転可能に下部走行体１１に支持されている。旋回フレーム３１は、図示しない旋回モータの駆動により、下部走行体１１に対して回転することができる。エンジン３３は、例えばディーゼルエンジンとして構成されており、旋回フレーム３１の後部に配置されている。油圧ポンプユニット３４は、エンジン３３によって駆動され、旋回作業車１の走行及び作業に必要な油圧力を発生させる。
【００２６】
ボンネット３８は、エンジン３３の上面等を覆って保護する。図２に示すように、ボンネット３８の後部は、旋回フレーム３１の後部に左右１対で配置されたヒンジ部４５によって、旋回フレーム３１と連結されている。
【００２７】
これにより、ボンネット３８を旋回フレーム３１に対して、左右水平方向に配置された回転軸４５ｃを中心として回転させることができる。具体的には、ボンネット３８を後上方に回転させることで開状態とし、反対方向に回転させることで閉状態とすることができる。
【００２８】
操縦部３５は、様々な操作部材を備える。この操作部材には、左右１対で配置される走行操作レバー３６及び作業操作レバー３７等が含まれる。オペレータは、上記の操作部材を操作することにより、各種の指示を旋回作業車１に与えることができる。
【００２９】
作業装置１３は、ブーム４１と、アーム４２と、バケット４３と、を備える。ブーム４１、アーム４２、及びバケット４３にはそれぞれ油圧シリンダが連結されており、油圧シリンダを伸縮させることにより、バケット４３による掘削等の各種の作業を行うことができる。
【００３０】
図２に示すように、上部旋回体１２の上面の左右中央には、オペレータが座る運転座席３９が配置されている。ただし、図２においては、後述のベルト７２等を分かり易く示すために、運転座席３９は鎖線で描かれている。そして、運転座席３９を挟むように、コンソール５２が左右１対で配置されている。運転座席３９及びコンソール５２は、上部旋回体１２が備えるボンネット３８の上面に配置されている。
【００３１】
左右のコンソール５２は互いに対称となっており、構成は実質的に同一である。それぞれのコンソール５２は、上述の作業操作レバー３７と、ロックレバー５６と、を支持している。
【００３２】
作業操作レバー３７は、コンソール５２の上部に配置され、斜め前上方に突出している。オペレータは、作業操作レバー３７を操作することで、作業装置１３の動作又は上部旋回体１２の旋回に関する指示を与えることができる。
【００３３】
ロックレバー５６は、コンソール５２の正面下部に配置され、斜め前上方に突出している。このロックレバー５６は、コンソール５２の姿勢を切り換えるために操作される。
【００３４】
具体的に説明すると、コンソール５２は、その後部に配置される図略のヒンジ軸を中心として回転可能に支持されている。オペレータは、ロックレバー５６を操作することで、コンソール５２を、図１の実線で示す通常の第１姿勢と、鎖線で示す第２姿勢と、の間で、白抜き矢印で示すように切り換えることができる。第１姿勢は、オペレータが作業操作レバー３７を操作するときの通常の姿勢である。第２姿勢は、第１姿勢から後上方に跳ね上げられた姿勢となっており、オペレータが旋回作業車１に乗降するときにコンソール５２を一時的に後上方に退避させる場合等に用いられる。
【００３５】
旋回作業車１が備える油圧回路には、コンソール５２が第２姿勢となっている場合に作業操作レバー３７の操作を無効化するロック機能が設けられている。これにより、第２姿勢となっているコンソール５２の作業操作レバー３７にオペレータの手等が誤って当たったとしても、それに応じた不測の動作が起きるのを防止することができる。このロック機能は、例えば、作業操作レバー３７の操作に応じて開閉する図略のリモコン弁に対して、コンソール５２の第２姿勢をセンサ等で検知した場合に作動油の供給を遮断するように制御することで実現することができる。
【００３６】
次に、図３を主に参照して、ボンネット３８の開閉のために用いられる２つの取っ手について説明する。図３は、第１実施形態のロック解除ハンドル７１及びベルト７２を前方側から見た斜視図である。
【００３７】
ボンネット３８には、当該ボンネット３８を閉じた状態で保持することができるロック機構８０が設けられている。このロック機構８０は、ボンネット３８の前面下部に配置されたロック解除ハンドル（第１取っ手）７１を備える。
【００３８】
ロック機構８０は、上記のロック解除ハンドル７１のほか、支持ボス８５と、引掛けプレート８６と、捩りコイルバネ８７と、を備える。なお、ロック機構８０の説明において、左及び右とは、運転座席に座ったオペレータから見て左及び右を意味する。
【００３９】
支持ボス８５は、円筒状の部材であり、ボンネット３８の内壁にブラケット８８を介して固定されている。支持ボス８５の軸孔はほぼ前後方向に向けられており、この軸孔に、Ｌ字状に曲げられたロック解除ハンドル７１の根元部が回転可能に支持されている。
【００４０】
ロック解除ハンドル７１は、支持ボス８５から前方に突出して、ボンネット３８に形成された図略の貫通孔を通過した後、左側にほぼ９０°曲がっている。この曲がった部分の先端には、操作のためのグリップ部が固定されている。
【００４１】
引掛けプレート８６は、板状の部材であって、ボンネット３８の内側で、ロック解除ハンドル７１の端部に固定されている。従って、引掛けプレート８６はロック解除ハンドル７１と一体的に回転する。
【００４２】
引掛けプレート８６において、その回転中心よりも下方の位置には、引掛け溝８６ａが形成されている。この引掛け溝８６ａは、左右方向に細長い溝として形成され、右側の端部が開口している。旋回フレーム３１側の適宜の部材には、細長いロック棒８９が固定されている。ロック棒８９は旋回フレーム３１から概ね上に向かって延びており、その端部が鉤状に曲げられている。引掛け溝８６ａには、ロック棒８９の先端部を差し込むことができる。
【００４３】
引掛け溝８６ａの下方において、引掛けプレート８６には傾斜案内部８６ｂが形成されている。この傾斜案内部８６ｂは、ロック棒８９の先端によって押されることで、引掛けプレート８６を回転させることができる。
【００４４】
捩りコイルバネ８７は、ブラケット８８と、引掛けプレート８６と、を接続するように配置されている。捩りコイルバネ８７は付勢部材として機能し、引掛けプレート８６に対して、正面視で時計回り方向、言い換えれば、引掛け溝８６ａがロック棒８９の先端に噛み合う方向のバネ力を作用させる。
【００４５】
この構成で、オペレータがボンネット３８を閉じた状態では、捩りコイルバネ８７の付勢力により、引掛けプレート８６の引掛け溝８６ａがロック棒８９に噛み合っている。これによりロック状態となり、例えば後述のベルト７２をオペレータが持って引き上げようとしても、ボンネット３８が開くことはない。
【００４６】
オペレータがロック解除ハンドル７１を持って上側に引き上げ、支持ボス８５を中心に回転させると、捩りコイルバネ８７の付勢力に抗して引掛けプレート８６が正面視で反時計回りに回転するので、引掛け溝８６ａとロック棒８９との噛合いが解除される。この結果、ロックが解除され、ボンネット３８を開くことができる状態になる。
【００４７】
ロック解除ハンドル７１の回転ストロークは、引掛けプレート８６の適宜の部位がブラケット８８に当たることで制限されている。従って、オペレータがロック解除ハンドル７１を上限まで引き上げた後は、オペレータがロック解除ハンドル７１に加える引上げ力は、ボンネット３８自体を開き方向に回転させるように作用する。言い換えれば、ロック解除ハンドル７１は、ボンネット３８を引き上げて回転させるためにオペレータが掴む取っ手としての機能も有する。従って、ボンネット３８のロック解除と開放動作をワンアクションで行うことができる。
【００４８】
開いた状態のボンネット３８を閉じるときは、ボンネット３８が完全に閉じられる直前に、ロック棒８９の先端部が傾斜案内部８６ｂに当たって、引掛けプレート８６が捩りコイルバネ８７の付勢力に抗して回転する。ボンネット３８が完全に閉じられるときには、ロック棒８９は引掛け溝８６ａに入り、自動的に上記のロック状態に戻る。
【００４９】
次に、運転座席の前部の直ぐ下に配置されているベルト（第２取っ手）７２について説明する。
【００５０】
運転座席３９は、図３に示すように、前側支持部材６１と、後側支持部材６２と、を用いて、ボンネット３８の上方に取り付けられている。この結果、運転座席３９と、ボンネット３８の上面と、の間には、上下方向の隙間が形成されている。
【００５１】
前側支持部材６１は、金属の板を折り曲げて構成され、正面から見て幅広な略Ｕ字状に形成されている。中央の底板部分は、左右１対のボルト（固定部材）６３を用いて、ボンネット３８の上面のうち前部かつ左右中央部に固定されている。左右の側板には、運転座席３９の下面に固定された略逆Ｕ字状のブラケット６４を、支点軸６５を介してそれぞれ固定することができる。
【００５２】
後側支持部材６２は、円柱状の防振ゴムを有し、ボンネット３８の上面のうち後部に左右１対で固定されている。それぞれの後側支持部材６２の上端部に、運転座席３９の下面を取り付けることができる。
【００５３】
ベルト７２は、細長い帯状体として構成されており、その両端には、ボンネット３８に固定するためのバックル部が固定されている。バックル部は、例えば金属又は合成樹脂により構成されており、前述のボルト６３によって、前側支持部材６１とともにボンネット３８に固定される。
【００５４】
ベルト７２の長手方向中間部分は、例えばポリエステル繊維を素材として構成されており、可撓性を有している。ベルト７２の長さは、その両端の取付箇所（即ち、ボルト６３）の間隔よりも長くなっているため、少しの弛みを有している。従って、ベルト７２の中間部分は、運転座席３９の前端から少し前側に突出しながら、前下方に垂れ下がるように配置することができる。ベルト７２は容易に変形するので、旋回作業車１に乗降するオペレータにベルト７２が触れたとしても邪魔になりにくい。ただし、ベルト７２を運転座席３９の下方で後方へ押し込むことで、ボンネット３８と運転座席３９との間の空間に収納することもできる。
【００５５】
次に、ボンネット３８を開いた状態で保持するための構成について、図４を参照して説明する。図４は、ボンネットステー４８の機能を説明する側面模式図である。
【００５６】
図４に示すように、上部旋回体１２においてボンネット３８により覆われる空間の内部には、ステー支持部材４６が固定されている。このステー支持部材４６は、板状に形成されており、その厚み方向を左右方向に向けて配置されている。
【００５７】
一方、ボンネット３８の内壁における適宜の位置には、ガイド部材４７が固定されている。このガイド部材４７には、前後方向に細長い貫通状のガイド溝４７ａが形成されている。ガイド溝４７ａの一側の端部は、短く折れ曲がっている。
【００５８】
ステー支持部材４６の後上部には、棒状に形成されたボンネットステー４８の一端が回転可能に支持されている。ボンネットステー４８の他端は、ガイド部材４７に形成されたガイド溝４７ａに差し込まれて、このガイド溝４７ａに沿ってスライド可能である。
【００５９】
この構成で、オペレータがボンネット３８を開こうとする場合、事前の準備として、図２等に示す左右のコンソール５２についてロックレバー５６を操作し、２つのコンソール５２の両方を後方へ跳ね上げた第２姿勢とする。これにより、上述したように、作業操作レバー３７の操作が無効化される。
【００６０】
続いて、オペレータは、一方の手でロック解除ハンドル７１を持ち、反対の手でベルト７２を持った状態で、両手で引き上げる。ベルト７２は変形可能であるので、手の大きな者は勿論、小さい者でもしっかり握って持つことができる。ロック解除ハンドル７１に上向きの操作力が加えられることでロック機構８０のロックが解除され、その後、ボンネット３８は回転軸４５ｃを中心として後上方へ回転する。力をロック解除ハンドル７１とベルト７２の２箇所でボンネット３８に作用させる構成となっているので、両腕の力を安定して加えることができ、トーションバー等の付勢装置（補助装置）がなくてもボンネット３８の回転はスムーズである。
【００６１】
ボンネット３８の回転に伴い、ボンネットステー４８が回転するとともに、その先端がガイド溝４７ａに沿って移動する。所定の角度までボンネット３８を回転させると、図４の鎖線で示すようにボンネットステー４８の先端がガイド溝４７ａの屈曲部分に入った状態となり、後方へ倒れようとするボンネット３８をボンネットステー４８が引っ張って保持することができる。この状態で、例えばメンテナンス作業時において誤ってボンネット３８を前方へ回転させる力が加わった場合でも、ガイド溝４７ａの屈曲部に接続する短い溝にボンネットステー４８の先端が入るので、この短い溝の端部でボンネットステー４８が突っ張り、ボンネット３８が不意に閉じることは防止される。
【００６２】
図４の鎖線のように開いた状態からボンネット３８を閉じるには、ボンネットステー４８を手で少し上に引いて、その先端がガイド溝４７ａにおいて上記の短い溝から抜けるようにした後、ロック解除ハンドル７１とベルト７２を持って、ボンネット３８を上記と反対方向に回転させれば良い。
【００６３】
このように、本実施形態では、手を掛ける箇所がボンネット３８に２箇所配置されているので、両手でボンネット３８の開閉作業を行うことが容易な構成となっている。従って、例えば小型の旋回作業車において、ボンネット３８の内部にトーションバー等を設けることがスペースの事情から困難であっても、本実施形態のように構成することでメンテナンス性を向上させることができる。
【００６４】
以上に説明したように、本実施形態の旋回作業車１は、ボンネット３８と、ロック解除ハンドル７１と、ベルト７２と、を備える。ボンネット３８は、エンジン３３の後方に位置する回転軸４５ｃを中心として回転可能に支持され、エンジン３３を覆い、開閉可能である。ロック解除ハンドル７１は、ボンネット３８の前面に配置される。ベルト７２は、ロック解除ハンドル７１よりも高い位置でボンネット３８に配置される。
【００６５】
これにより、ロック解除ハンドル７１とベルト７２を片手ずつで掴んで、両手を用いてボンネット３８を開閉することができる。そのため、ボンネット３８の開閉作業を容易かつ円滑に行うことができる。従って、例えば、ボンネット３８を開き方向に付勢するトーションバー等を省略する場合でも、エンジン３３等のメンテナンス性を良好とすることができる。
【００６６】
また、本実施形態の旋回作業車１は、ボンネット３８の上面に取り付けられる運転座席３９を備える。ベルト７２の少なくとも一部が、ボンネット３８と運転座席３９との間に形成された空間に収納可能である。
【００６７】
これにより、ベルト７２に手を掛ける必要がないときに、邪魔にならない場所に収容しておくことができる。
【００６８】
また、本実施形態の旋回作業車１において、ベルト７２は、可撓性を有する細長い帯状体である。ベルト７２の長手方向両端部がボンネット３８に取り付けられており、中間部が、ボンネット３８と運転座席３９との間に形成された空間に収納可能である。
【００６９】
これにより、ベルト７２を収納可能な簡素かつ安価な構成を実現できる。
【００７０】
次に、第２実施形態を説明する。図５は、第２実施形態の格納式ハンドル７２ｘを詳細に示す斜視図である。なお、本実施形態の説明においては、前述の実施形態と同一又は類似の部材には図面に同一の符号を付し、説明を省略する場合がある。
【００７１】
第２実施形態は、上述のベルト７２の代わりに格納式ハンドル７２ｘがボンネット３８に備えられている点で、第１実施形態と異なる。なお、図５においては、格納式ハンドル７２ｘ等を分かり易く示すために、運転座席３９の周辺のコンソール５２等の適宜の部材がボンネット３８から取り外された状態が描かれている。
【００７２】
この格納式ハンドル７２ｘは、スライド機構９０を介して、ボンネット３８の上面に取り付けられている。このスライド機構９０は、ガイドブラケット９５と、１対のスライダ９６と、２つのガイドピン９７と、を備える。
【００７３】
ガイドブラケット９５は、断面が逆Ｕ字状の細長い部材として形成されており、その長手方向を前後方向に向けて、ボンネット３８の上面のうち前部かつ左右中央部に固定されている。ガイドブラケット９５の左右両側の側壁には、左右で同一の形状である貫通状のガイド溝９５ａがそれぞれ形成されている。それぞれのガイド溝９５ａは横向きＥ字状に形成されており、このガイド溝９５ａには、下向きに延びる短い保持溝が等間隔で３つ形成されている。保持溝は、ガイド溝９５ａの前端部、後端部、及び中央部に配置されている。
【００７４】
スライダ９６は、ガイドブラケット９５を左右方向で挟むように１対で設けられている。それぞれのスライダ９６は前後方向に細長く形成され、その前端部は、平面視で略Ｃ字状に形成された格納式ハンドル７２ｘの両端部に固定されている。
【００７５】
２つのガイドピン９７は、何れも細い丸棒状の部材である。それぞれのガイドピン９７は、１対のスライダ９６同士を互いに連結するように、その長手方向を左右方向に向けて配置されている。ガイドピン９７は、ガイドブラケット９５の両側壁に形成されたガイド溝９５ａに差し込まれており、ガイド溝９５ａに沿って移動することができる。
【００７６】
それぞれのガイドピン９７は、前後方向に間隔をあけて配置され、互いに平行に向けられている。ガイドピン９７同士の間隔は、ガイド溝９５ａに形成された３つの保持溝の間隔と等しくなっている。
【００７７】
格納式ハンドル７２ｘは、その幅が、前述の前側支持部材６１の側板同士の間隔より小さく形成されている。また、格納式ハンドル７２ｘは、その前端部がガイドブラケット９５の前側に突出するように配置されている。
【００７８】
この構成で、格納式ハンドル７２ｘを少し持ち上げると、スライダ９６に取り付けられているガイドピン９７がガイド溝９５ａの保持溝から抜けるため、格納式ハンドル７２ｘを前後方向にスライド移動させることができる。従って、格納式ハンドル７２ｘの前端部が運転座席３９の前端から少し前方に突出する使用位置と、ほぼ全部が運転座席３９の下方に収納される格納位置と、の間で段階的に切り換えることができる。図５には、２つのガイドピン９７がガイド溝９５ａの前端部と中央部の保持溝に入って、格納式ハンドル７２ｘが使用位置となっている状態が示されている。この使用位置から格納式ハンドル７２ｘを後方へ押し込むことで、上記の格納位置として、旋回作業車１に乗降するオペレータの邪魔にならないようにすることができる。
【００７９】
以上に説明したように、本実施形態において、格納式ハンドル７２ｘは、スライド移動可能とされており、一側に移動することで、ボンネット３８と運転座席３９との間に形成された空間に収納可能である。
【００８０】
これにより、格納式ハンドル７２ｘをスライド移動させる簡単な操作で、必要に応じて収納することができる。
【００８１】
以上に本発明の好適な実施の形態を説明したが、上記の構成は例えば以下のように変更することができる。
【００８２】
上記の実施形態では、ベルト７２及び格納式ハンドル７２ｘは、ボンネット３８の前方から手を掛けることができるように、前側に突出するように構成されている。しかしながらこれに代えて、ベルト７２又は格納式ハンドル７２ｘが、ボンネット３８のから左右の少なくとも一方に突出するように取り付けられてもよい。ただし、２つの取っ手が何れも（回転軸４５ｃから遠い）ボンネット３８の前面側に配置されていると、軽い力でボンネット３８を開くことができるため、好ましい。
【００８３】
上記実施形態では、ロック解除ハンドル７１として、前後方向の軸を中心として回転する棒状のレバーが用いられている。しかしながら、ロック解除ハンドルとして、例えば、左右水平方向の軸を中心として回転するフラップ状のハンドルが用いられても良い。この場合も、ハンドルを上に引き上げることでボンネット３８のロック解除が行われる構成とすることが好ましい。
【００８４】
第１実施形態において、ベルト７２のバックル部に、例えばオペレータの手の大きさに合わせてベルト７２の長さを調整可能な調整機構が設けられても良い。また、ベルト７２に代えて、例えばロープが用いられても良い。
【００８５】
第１実施形態において、ボンネット３８の上面に、後方に押し込まれたベルト７２を収納可能な窪み部が形成されてもよい。
【００８６】
第２実施形態において、スライド機構９０を、例えば、円筒によってロッドをスライド可能に支持する構成に変更することもできる。
【００８７】
ボンネット３８のロックを解除するための操作部材と、ボンネット３８を回転させるために持つ取っ手とが、別々の部材であっても良い。
【００８８】
本発明は、旋回作業車だけでなく、他の様々な構成及び用途の作業車両に適用することができる。
【符号の説明】
【００８９】
１  作業車両
３３  エンジン
３８  ボンネット
３９  運転座席
７１  ロック解除ハンドル（第１取っ手）
７２  ベルト（第２取っ手）
８０  ロック機構
【図１】
2019056219.tif 000003
【図２】
2019056219.tif 000004
【図３】
2019056219.tif 000005
【図４】
2019056219.tif 000006
【図５】
2019056219.tif 000007